(57)【特許請求の範囲】
【請求項１】
装置本体の上面に表示部と操作部とを備えた携帯型のカード読取り装置であって、
前記カード読取り装置は、
ＩＣカードの読取り処理を行うときに、前記ＩＣカードが挿入される挿入口と、
前記ＩＣカードが前記挿入口へ挿入されるときに、前記ＩＣカードをガイドするガイド平面を有するカードガイド部と、
磁気カードの読取り処理を行うときに、スワイプされる前記磁気カードをガイドするガイド壁面を有するスリット部と、
を備え、
前記挿入口と前記カードガイド部と前記スリット部は、前記装置本体の前記表示部と前記操作部より手前側に設けられ、
前記ＩＣカードの挿入方向と前記磁気カードのスワイプ方向とが交差し、かつ、前記ガイド平面の向きと前記ガイド壁面の向きとが交差し、
前記ガイド壁面は、互いに対向する第１のガイド壁面と第２のガイド壁面とを含み、
前記第１のガイド壁面には、前記挿入口が設けられ、前記第２のガイド壁面には、前記ガイド平面の端部により形成される切欠き部が設けられていることを特徴とするカード読取り装置。
【請求項２】
前記ガイド壁面の向きは、前記装置本体の底面の向きと交差していることを特徴とする請求項１に記載のカード読取り装置。
【請求項３】
前記挿入口の左右の幅は、前記切欠き部の左右の幅より大きく設定されており、
前記挿入口の下辺の高さは、前記ガイド平面の端部の高さより低く設定されており、
前記挿入口の上辺の高さは、前記ガイド平面の端部の高さに前記ＩＣカードの厚さを加えた高さより高く設定されていることを特徴とする請求項１または請求項２に記載のカード読取り装置。
【請求項４】
前記第２のガイド壁面には、前記磁気カードの読取りを行うための磁気カード読取り部が備えられており、
前記磁気カード読取り部の上部は、前記ガイド平面によって覆われていることを特徴とする請求項１ないし請求項３のいずれかに記載のカード読取り装置。
【請求項５】
前記ガイド平面の長さは、前記ＩＣカードが前記挿入口に挿入されたときに前記挿入口から外出している前記ＩＣカードの長さよりも大きく設定されていることを特徴とする請求項１ないし請求項４のいずれかに記載のカード読取り装置。
【発明の詳細な説明】
【技術分野】
【０００１】
本発明は、ＩＣカードの読取り機能と磁気カードの読取り機能の両方を備えた携帯型のカード読取り装置に関するものである。
【背景技術】
【０００２】
従来、携帯型の決済端末装置として、ＩＣカードの読取り機能を備えたものが知られている（例えば、特許文献１参照）。携帯型の決済端末装置は、物流業界や保険業界などで用いられる。例えば、物流業界で用いられる決済端末装置では、荷物の集荷や配達をするときに、顧客の玄関先などでＩＣカードを用いて決済を行うことができる。なお、この特許文献１の装置（ＩＣカード読み取り書き込み機）では、装置本体の手前側の側面に、ＩＣカードを挿入するための挿入口が設けられている。
【０００３】
しかしながら、この従来の装置（ＩＣカード読み取り書き込み機）では、ＩＣカードの読取り機能は備えられているものの、磁気カードの読取り機能を備えていないため、磁気カードの読取りをすることができない。
【０００４】
近年、携帯型の決済端末装置に、ＩＣカードの読取り機能と磁気カードの読取り機能の両方を備えさせる技術が提案されている（例えば、特許文献２参照）。特許文献２の装置（ＩＣカード読取機器）では、装置本体の右側の側面に、磁気カードを挿入するための挿入溝が設けられている。
【０００５】
そこで、仮に、特許文献２の技術を、上記の特許文献１の装置に適用することができたとする。そうすると、結果として得られる決済端末装置では、装置本体の手前側の側面に、ＩＣカードを挿入するための挿入口が設けられ、装置本体の右側の側面に、磁気カードを挿入するための挿入溝が設けられることになる。
【先行技術文献】
【特許文献】
【０００６】
【特許文献１】国際公開第９８／１５９２９号
【特許文献２】特開２００９−２１１４２７号公報
【発明の概要】
【発明が解決しようとする課題】
【０００７】
しかしながら、そのような決済端末装置では、ＩＣカードの挿入口と磁気カードの挿入溝が、装置本体の離れた場所（手前側の側面と右側の側面）に、それぞれ別々に配置されることになり、ＩＣカードや磁気カードの読取り処理を行うときにユーザの目線が動く（ＩＣカードの読取り処理をするときと、磁気カードの読取り処理をするときとで、ユーザが違う場所を見る）ことになり、挿入したＩＣカードの取り忘れなどのミスを誘発するおそれがあるという問題があった。
【０００８】
また、ユーザの装置本体の持ち方によっては、ＩＣカードの読取り処理をするときと、磁気カードの読取り処理をするときとで、装置本体の持ち替えをしなければならないことがあり、そうすると、持ち替えの際に装置本体を落としてしまうリスクが生じるという問題があった。さらに、ＩＣカードの挿入時と磁気カードの挿入時とで、装置本体に力が加えられる場所（力点）が異なるので、ＩＣカードや磁気カードの読取りの際に、ユーザは装置本体を強めに保持しなければならないという問題があった。また、装置本体の横側の側面に磁気カードの挿入溝を設けると、その分だけ装置本体の横幅が大きくならざるを得ず、装置本体の横幅が大きいと片手での保持がし難くなるという問題もあった。
【０００９】
本発明は、上記従来の問題を解決するためになされたもので、ＩＣカードと磁気カードの両方の読取りが可能であり、しかも、装置本体が小型であるため、ＩＣカードや磁気カードの読取り処理をするときの操作性が高く、また、ＩＣカードの取り忘れを防止することのできるカード読取り装置を提供することを目的とする。
【課題を解決するための手段】
【００１０】
本発明のカード読取り装置は、装置本体の上面に表示部と操作部とを備えた携帯型のカード読取り装置であって、前記カード読取り装置は、ＩＣカードの読取り処理を行うときに、前記ＩＣカードが挿入される挿入口と、前記ＩＣカードが前記挿入口へ挿入されるときに、前記ＩＣカードをガイドするガイド平面を有するカードガイド部と、磁気カードの読取り処理を行うときに、スワイプされる前記磁気カードをガイドするガイド壁面を有するスリット部と、を備え、前記挿入口と前記カードガイド部と前記スリット部は、前記装置本体の前記表示部と前記操作部より手前側に設けられ、前記ＩＣカードの挿入方向と前記磁気カードのスワイプ方向とが交差し、かつ、前記ガイド平面の向きと前記ガイド壁面の向きとが交差した構成を有している。
【００１１】
この構成により、ＩＣカードの挿入口と磁気カードのスリット部が、ユーザの手元側（装置本体の手前側）に集められている。したがって、ＩＣカードの挿入口と磁気カードのスリット部が別々に離れた場所に配置される場合に比べて、ＩＣカードや磁気カードの読取り処理を行うときにユーザの目線が手元に集中し、ＩＣカードの取り忘れなどのユーザのミスを減らすことができる。また、この場合、ＩＣカードの挿入方向と磁気カードのスワイプ方向が交差し、かつ、ガイド平面（ＩＣカードの移動面）の向きとガイド壁面（磁気カードの移動面）の向きとが交差しているので、ＩＣカードが挿入されたままの状態（ＩＣカードを取り忘れた状態）で磁気カードをスワイプしようとした場合に、ＩＣカードに阻害されて磁気カードをスワイプすることができない。これにより、ＩＣカードの取り忘れが防止される。
【００１２】
さらに、ＩＣカードの挿入口と磁気カードのスリット部とが、互いに近い場所（装置本体の手前側）に集められているので、カードの種類（ＩＣカードか磁気カードか）に応じて装置本体を持ち替える必要がなく、持ち替えの際に装置本体を落としてしまうリスクを減らすことができる。また、ＩＣカードの挿入口と磁気カードのスリット部が、互いに近い場所（装置本体の手前側）に集められているので、ＩＣカードの挿入時や磁気カードのスワイプ時に装置本体に力が加えられる場所（力点）も集中し、ＩＣカードや磁気カードの読取り処理の際に、ユーザが装置本体を保持し易くなる。これにより、ＩＣカードや磁気カードの読取り処理をするときの操作性が向上する。
【００１３】
また、本発明のカード読取り装置では、前記ガイド壁面は、互いに対向する第１のガイド壁面と第２のガイド壁面とを含み、前記第１のガイド壁面には、前記挿入口が設けられ、前記第２のガイド壁面には、前記ガイド平面の端部により形成される切欠き部が設けられた構成を有している。
【００１４】
この構成により、ＩＣカードの読取り処理の際には、第２のガイド壁面の切欠き部（ガイド平面の端部）から第１のガイド壁面の挿入口へＩＣカードがガイドされ、磁気カードの読取り処理の際には、第１のガイド壁面と第２のガイド壁面によって磁気カードが挟まれてガイドされる。このように、磁気カードをガイドするための構成（第１のガイド壁面と第２のガイド壁面）を、ＩＣカードをガイドするための構成（ガイド平面）として利用することができる。したがって、それぞれの構成を別途設ける場合に比べて、省スペース化を図ることができる。
【００１５】
また、本発明のカード読取り装置では、前記ガイド壁面の向きは、前記装置本体の底面の向きと交差した構成を有している。
【００１６】
この構成により、テーブル等の設置面の上にカード読取り装置を置いて磁気カードの読取り処理をするときに、ガイド壁面（磁気カードの移動面）の向きが装置本体の底面（設置面）の向きと平行にならない。磁気カードの移動面の向きが設置面の向きと平行であると、磁気カードをスワイプするときに設置面が干渉するおそれがある。これに対して、本発明では、磁気カードの移動面の向きが設置面の向きと平行にならないので、磁気カードをスワイプするときに設置面が干渉するのが防止される。
【００１７】
また、本発明のカード読取り装置では、前記挿入口の左右の幅は、前記切欠き部の左右の幅より大きく設定されており、前記挿入口の下辺の高さは、前記ガイド平面の端部の高さより低く設定されており、前記挿入口の上辺の高さは、前記ガイド平面の端部の高さに前記ＩＣカードの厚さを加えた高さより高く設定された構成を有している。
【００１８】
この構成により、挿入口の大きさ（左右の幅、上下の高さ）が、ガイド平面の端部（切欠き部）より大きく設定されているので、ＩＣカードを挿入口に挿入するときに、ＩＣカードが挿入口に引っ掛かり難くなり、ガイド平面の端部から挿入口にＩＣカードをスムーズに案内することができる。
【００１９】
また、本発明のカード読取り装置では、前記第２のガイド壁面には、前記磁気カードの読取りを行うための磁気カード読取り部が備えられており、前記磁気カード読取り部の上部は、前記ガイド平面によって覆われた構成を有している。
【００２０】
この構成により、第２のガイド壁面に備えられる磁気カード読取り部の上部を、ガイド平面によって保護することができる。したがって、磁気カード読取り部の上部を保護するための専用の保護カバーを設ける必要がなくなり、その分だけ、磁気カード読取り部の小型化が可能になる。
【００２１】
また、本発明のカード読取り装置では、前記ガイド平面の長さは、前記ＩＣカードが前記挿入口に挿入されたときに前記挿入口から外出している前記ＩＣカードの長さよりも大きく設定された構成を有している。
【００２２】
この構成により、ＩＣカードが挿入口に挿入されたときに、ＩＣカードがガイド平面から突出することがない。ＩＣカードがガイド平面から突出していると、カード読取り装置を落としてしまった場合などに、ＩＣカードが損傷してしまうおそれがある。これに対して、本発明では、ＩＣカードがガイド平面から突出していないので、カード読取り装置を落としてしまった場合などに、ＩＣカードが損傷してしまうのを防ぐことができる。
【発明の効果】
【００２３】
本発明は、ＩＣカードと磁気カードの両方の読取りが可能であり、しかも、ＩＣカードや磁気カードの読取り処理をするときの操作性が高く、また、ＩＣカードの取り忘れを防止することができるという効果を有するカード読取り装置を提供することができるものである。
【図面の簡単な説明】
【００２４】
【図１】本発明の実施の形態におけるカード読取り装置（決済端末装置）の斜視図
【図２】本発明の実施の形態におけるカード読取り装置の側面図
【図３】本発明の実施の形態におけるカード読取り装置の平面図
【図４】本発明の実施の形態における第１のガイド壁面と第２のガイド壁面の説明図
【図５】本発明の実施の形態における磁気カード読取り部（磁気ヘッド）の斜視図
【図６】本発明の実施の形態における磁気カード読取り部（磁気ヘッド）の取付け構造の説明図
【発明を実施するための形態】
【００２５】
以下、本発明の実施の形態のカード読取り装置について、図面を用いて説明する。本実施の形態では、物流業界や保険業界などで決済端末装置として用いられる携帯型のカード読取り装置の場合を例示する。
【００２６】
本発明の実施の形態のカード読取り装置の構成を、図面を参照して説明する。図１は、本実施の形態のカード読取り装置の斜視図である。また、図２は、カード読取り装置の側面図であり、図３は、カード読取り装置の平面図である。
【００２７】
図１に示すように、本実施の形態のカード読取り装置１は、物流業界などで用いられる携帯型の決済端末装置であり、ＩＣカード２の読取り機能と磁気カード３の読取り機能の両方を備えている。カード読取り装置１の装置本体４の上部には、プリンタ部５が設けられている。カード読取り装置１の装置本体４の上面の中央部には、表示部６と操作部７が設けられている。プリンタ部５からは、配達した荷物（または集荷した荷物）の伝票などがプリントアウトされる。表示部６は、液晶モニタなどで構成されており、操作部７は、テンキーや機能ボタンなどで構成されている。
【００２８】
ユーザは、装置本体４の中央部を下側から手で保持して、カード読取り装置１で各種の操作（例えば、操作部７からの情報入力操作や、ＩＣカード２や磁気カード３の読取り操作など）を行う。したがって、装置本体４の下面の中央部は、ユーザ保持部８であるともいえる。なお、ユーザ保持部８に対応する装置本体４の上面の部分（装置本体４の上面の中央部）には、表示部６と操作部７が設けられている。
【００２９】
図１〜図３に示すように、カード読取り装置１の装置本体４には、ＩＣカード２の読取り処理をするときに、ＩＣカード２が挿入される挿入口９と、挿入口９へ挿入されるＩＣカード２をガイドするガイド平面１０を有するカードガイド部１１を備えている。ガイド平面１０の左右両側にはガイド側壁２０が設けられており、ガイド平面１０と２つのガイド側壁２０は、断面視でコの字状とされている（図４（ｂ）参照）。また、カード読取り装置１の装置本体４には、磁気カード３の読取り処理をするときに、スワイプされる磁気カード３をガイドする２つのガイド壁面１２、１３を有するスリット部１４を備えている。また、図２に示すように、装置本体４の内部には、ＩＣカード２の読取り処理を行うためのＩＣカード読取り部１５と、磁気カード３の読取り処理を行うための磁気カード読取り部１６（磁気ヘッド）が設けられている。
【００３０】
本実施の形態では、挿入口９とカードガイド部１１とスリット部１４が、装置本体４の手前側（より具体的には、表示部６と操作部７より手前側）に設けられている。したがって、挿入口９とカードガイド部１１とスリット部１４は、ユーザ保持部８よりも手前側に設けられているともいえる。そして、図１に示すように、ＩＣカード２の挿入方向と磁気カード３のスワイプ方向とが垂直に交差しており、ガイド平面１０の向きとガイド壁面１２、１３の向きとが垂直に交差している。また、ガイド平面１０の向きは、装置本体４の底面の向きと平行であり、ガイド壁面１２、１３の向きは、装置本体４の底面の向きと垂直に交差している。
【００３１】
２つのガイド壁面１２、１３は、互いに対向する第１のガイド壁面１２と第２のガイド壁面１３である。図４は、第１のガイド壁面１２と第２のガイド壁面１３の説明図である。図４（ａ）に示すように、第１のガイド壁面１２には、横長四角形状の挿入口９が設けられており、図４（ｂ）に示すように、第２のガイド壁面１３には、凹形状の切欠き部が設けられている。この切欠き部は、カードガイド部１１（ガイド平面１０と２つのガイド側壁２０）の端部により形成されている（図１参照）。
【００３２】
そして、図４に示すように、挿入口９の左右の幅Ｗ１は、切欠き部の左右の幅Ｗ２より大きく設定されている。また、挿入口９の下辺の高さＨ１は、切欠き部の底辺（ガイド平面１０の端部）の高さＨ２より低く設定されている。さらに、挿入口９の上辺の高さＨ３は、切欠き部の底辺（ガイド平面１０の端部）の高さＨ２にＩＣカード２の厚さを加えた高さより高く設定されている。
【００３３】
また、ガイド平面１０の長さは、ＩＣカード２が挿入口９に挿入されたときに挿入口９から外出している部分（ＩＣカード２の外出部分）の長さより大きく設定されている。すなわち、ＩＣカード２を挿入口９に挿入した状態で、ＩＣカード２がガイド平面１０の内部に収まるように設計されている。なお、ガイド平面１０の長さは、ＩＣカード２の外出部分の長さより僅かに小さく設定されてもよい。すなわち、ＩＣカード２を挿入口９に挿入した状態で、ＩＣカード２がガイド平面１０から少しだけ突出するように設計されてもよい。
【００３４】
また、図２に示すように、第１のガイド壁面１２と第２のガイド壁面１３には、それぞれ磁気カード読取り部１６が設けられている。第２のガイド壁面１３に設けられた磁気カード読取り部１６は、ガイド平面１０によって上部が覆われている。
【００３５】
ここで、図５と図６を参照して、本実施の形態における磁気カード読取り部１６（磁気ヘッド）の構成について説明しておく。図５は、磁気カード読取り部１６の斜視図であり、図６は、磁気カード読取り部１６の取付け構造の説明図である。
【００３６】
図５および図６に示すように、磁気カード読取り部１６の両側の中央部には、それぞれ突片部１７が設けられている。突片部１７には、線バネ１８が当接されている。線バネ１８は、突片部１７を押さえた状態で、バネ固定部１９に両端部が挿入されて、固定される。このようにして、磁気カード読取り部１６は、線バネ１８の弾性力によって適度な付勢力が与えられた状態で、ガイド壁面１２、１３に裏側から取り付けられる。
【００３７】
この場合、磁気カード読取り部１６の中央部（両側の中央部）が、一本の線バネ１８によって押さえられる。磁気カード読取り部１６の上部と下部を、二本の線バネによって押さえる場合には、上部と下部にそれぞれ突片部１７を設ける必要があるため、その分、磁気カード３の読取り部の高さが大きくなってしまう。それに比べて、本実施の形態では、磁気カード読取り部１６の中央部を、一本の線バネ１８によって押さえているので、磁気カード３の読取り部の高さを小さくすることができ、その分だけ小型化が可能になる。
【００３８】
このような本発明の実施の形態のカード読取り装置１によれば、ＩＣカード２と磁気カード３の両方の読取りが可能であり、しかも、ＩＣカード２や磁気カード３の読取り処理をするときの操作性が高く、また、ＩＣカード２の取り忘れを防止することができる。なお、ＩＣカード２と磁気カード３の両方が、同時に使用される（読取り処理される）ことはない。
【００３９】
すなわち、本実施の形態では、ＩＣカード２の挿入口９と磁気カード３のスリット部１４が、ユーザの手元側（装置本体４の手前側）に集められている。したがって、ＩＣカード２の挿入口９と磁気カード３のスリット部１４が別々に離れた場所に配置される場合に比べて、ＩＣカード２や磁気カード３の読取り処理を行うときにユーザの目線が手元に集中し、ＩＣカード２の取り忘れなどのユーザのミスを減らすことができる。また、この場合、ＩＣカード２の挿入方向と磁気カード３のスワイプ方向が交差し、かつ、ガイド平面１０（ＩＣカード２の移動面）の向きとガイド壁面１２、１３（磁気カード３の移動面）の向きとが交差しているので、ＩＣカード２が挿入されたままの状態（ＩＣカード２を取り忘れた状態）で磁気カード３をスワイプしようとした場合に、ＩＣカード２に阻害されて磁気カード３をスワイプすることができない。これにより、ＩＣカード２の取り忘れが防止される。
【００４０】
さらに、ＩＣカード２の挿入口９と磁気カード３のスリット部１４とが、互いに近い場所（装置本体４の手前側）に集められているので、カードの種類（ＩＣカード２か磁気カード３か）に応じて装置本体４を持ち替える必要がなく、持ち替えの際に装置本体４を落としてしまうリスクを減らすことができる。また、ＩＣカード２の挿入口９と磁気カード３のスリット部１４が、互いに近い場所（装置本体４の手前側）に集められているので、ＩＣカード２の挿入時や磁気カード３のスワイプ時に装置本体４に力が加えられる場所（力点）も集中し、ＩＣカード２や磁気カード３の読取り処理の際に、ユーザが装置本体４を保持し易くなる。これにより、ＩＣカード２や磁気カード３の読取り処理をするときの操作性が向上する。
【００４１】
また、本実施の形態では、ＩＣカード２の読取り処理の際には、第２のガイド壁面１３の切欠き部（ガイド平面１０の端部）から第１のガイド壁面１２の挿入口９へＩＣカード２がガイドされ、磁気カード３の読取り処理の際には、第１のガイド壁面１２と第２のガイド壁面１３によって磁気カード３が挟まれてガイドされる。このように、磁気カード３をガイドするための構成（第１のガイド壁面１２と第２のガイド壁面１３）を、ＩＣカード２をガイドするための構成（ガイド平面１０）として利用することができる。したがって、それぞれの構成を別途設ける場合に比べて、省スペース化を図ることができる。
【００４２】
また、本実施の形態では、テーブル等の設置面の上にカード読取り装置１を置いて磁気カード３の読取り処理をするときに、ガイド壁面１２、１３（磁気カード３の移動面）の向きが装置本体４の底面（設置面）の向きと平行にならない。磁気カード３の移動面の向きが設置面の向きと平行であると、磁気カード３をスワイプするときに設置面が干渉するおそれがある。これに対して、本発明では、磁気カード３の移動面の向きが設置面の向きと平行にならないので、磁気カード３をスワイプするときに設置面が干渉するのが防止される。
【００４３】
また、本実施の形態では、挿入口９の大きさ（左右の幅、上下の高さ）が、ガイド平面１０の端部（切欠き部）より大きく設定されているので、ＩＣカード２を挿入口９に挿入するときに、ＩＣカード２が挿入口９に引っ掛かり難くなり、ガイド平面１０の端部から挿入口９にＩＣカード２をスムーズに案内することができる。
【００４４】
また、本実施の形態では、第２のガイド壁面１３に備えられる磁気カード読取り部１６の上部を、ガイド平面１０によって保護することができる。したがって、磁気カード読取り部１６の上部を保護するための専用の保護カバーを設ける必要がなくなり、その分だけ、磁気カード読取り部１６の小型化が可能になる。
【００４５】
また、本実施の形態では、ＩＣカード２が挿入口９に挿入されたときに、ＩＣカード２がガイド平面１０から突出することがない。ＩＣカード２がガイド平面１０から突出していると、カード読取り装置１を落としてしまった場合などに、ＩＣカード２が損傷してしまうおそれがある。これに対して、本発明では、ＩＣカード２がガイド平面１０から突出していないので、カード読取り装置１を落としてしまった場合などに、ＩＣカード２が損傷してしまうのを防ぐことができる。
【００４６】
以上、本発明の実施の形態を例示により説明したが、本発明の範囲はこれらに限定されるものではなく、請求項に記載された範囲内において目的に応じて変更・変形することが可能である。
【産業上の利用可能性】
【００４７】
以上のように、本発明にかかるカード読取り装置は、ＩＣカードと磁気カードの両方の読取りが可能であり、しかも、ＩＣカードや磁気カードの読取り処理をするときの操作性が高く、また、ＩＣカードの取り忘れを防止することができるという効果を有し、物流業界や保険業界などで決済端末装置等として用いられ、有用である。
【符号の説明】
【００４８】
１  カード読取り装置（決済端末装置）
２  ＩＣカード
３  磁気カード
４  装置本体
５  プリンタ部
６  表示部
７  操作部
８  ユーザ保持部
９  挿入口
１０  ガイド平面
１１  カードガイド部
１２  第１のガイド壁面
１３  第２のガイド壁面
１４  スリット部
１５  ＩＣカード読取り部
１６  磁気カード読取り部（磁気ヘッド）
１７  突片部
１８  線バネ
１９  バネ固定部
２０  ガイド側壁
【図１】
0005688563.tif 000002
【図２】
0005688563.tif 000003
【図３】
0005688563.tif 000004
【図４】
0005688563.tif 000005
【図５】
0005688563.tif 000006
【図６】
0005688563.tif 000007